(57)【要約】      （修正有）【課題】少数キーによって文字入力を行う通信機器において、トグル方式で各文字入力キーが担当する文字の内の後順の文字を入力するには、何回も文字入力キーを押下しなければならない。また、タッチパネル上の文字表示キーによるマトリックス方式に準じる文字入力方式において、後順の文字の入力の操作が行い難く、文字の確定や修正入力の簡単化を提供する。【解決手段】各文字入力キー内の１番順や２番順の文字は従来のトグル方式で文字入力の操作を行い、３番順以降の文字を３進型や４進型トグル方式とトグル方式を使うことで後順の文字も瞬時に入力する。また、続けて同一キーによる複数の文字を入力する時、文字入力を間違えて先の文字まで行ってしまった時、マトリックス方式やマトリックス方式に準じる文字入力方式を使うこと。【選択図】図３
2010129076.tif 000002
【特許請求の範囲】
【請求項１】
テンキーを含む１４個以内の文字入力キーによって行う文字入力の機能形態で、文字入力キーを毎Ｔ秒未満での短押しにおいては、短押し毎に一文字づつ文字が入れ替わるトグル方式のみか、又は上記トグル方式と長押しするとマトリックス方式に切り替わる画面付通信機器において、アルファベット文字や仮名文字等の文字モードの一文字入力時に、文字入力キーをＴ秒以上で中押し又はＴ秒以上長押し未満で中押しすると、１回の中押しで起点から３文字進んだ文字の入力が可能になるか、又は１回の中押しで起点から４文字進んだ文字の入力が可能になることを特徴とする文字入力装置。
【請求項２】
１４個以内の文字入力キーによって行う文字入力の機能形態で、文字入力キーを毎Ｔ秒未満での短押しにおいては、小文字から短押し毎に文字が入れ替わるトグル方式のみか、又は上記トグル方式と文字入力キーをＬＴ秒以上の長押しするとマトリックス方式に準じる文字入力方式に切り替わるタッチパネル画面付通信機器において、アルファベット文字モードの一文字入力時に、画面上の文字入力キーをＴ以上で中押し又はＴ秒以上ＬＴ秒未満で中押しすると、１回の中押しで起点から３文字進んだ文字又は１回の中押しで起点から４文字進んだ文字が、中押しをした当該表示キー箇所Ｐと文字表示箇所に表示され、当該文字の入力が可能となることを特徴とする文字入力装置。
【請求項３】
１４個以内の文字入力キーによって行う文字入力の機能形態で、文字入力キーを毎Ｔ秒未満での短押しにおいては、小文字から短押し毎に文字が入れ替わるトグル方式と文字入力キーをＬＴ秒以上の長押しをするとマトリックス方式に準じる文字入力方式に切り替わるタッチパネル画面付通信機器において、アルファベット文字モードの一文字入力時に、画面上の文字入力キーをＬＴ秒以上長押しすると、マトリックス方式に準じる文字入力方式に切り替わり、長押しした当該表示キーが担当する大文字が３文字の場合は２番順の大文字が、担当する大文字が４文字の場合は三番順の大文字が、当該表示キー箇所Ｐに表示され、当該表示キー担当のその他の大文字もＰ箇所の周りに表示され、担当の小文字もＰ箇所の周りに表示している表示形態では、指定する文字表示キー箇所を押下することで指定する文字の入力が確定し、小文字が表示しない表示形態では指定する文字表示箇所をｔ秒以上の長押しをすると、指定文字が小文字に変換して入力が確定することを特徴とする文字入力装置。
【請求項４】
１２個以内の文字入力キーによって行う文字入力の機能形態で、文字入力キーを毎Ｔ秒未満での短押しにおいては、短押し毎に一文字づつ文字が入れ替わるトグル方式のみか、又は上記トグル方式と文字入力キーをＬＴ以上の長押しするとマトリックス方式に準じる文字入力方式に切り替わるタッチパネル画面付通信機器において、仮名モードの人文字入力時に、画面上の各行表示キーをＴ秒以上の中押し又はＴ秒以上ＬＴ秒未満で中押しすると、１回の中押しで起点から４文字進んだ文字又は１回の中押しで起点から３文字進んだ文字が、中押しした当該行表示キー箇所Ｐと文字表示箇所に表示され、当該文字の入力が可能となることを特徴とする文字入力装置。
【請求項５】
１２個以内の文字入力キーによって行う文字入力の機能形態で、文字入力キーを毎Ｔ秒未満での短押しにおいては、短押し毎に文字が入れ替わるトグル方式と文字入力キーをＬＴ秒以上の長押しをするとマトリックス方式に準じる文字入力方式に切り替わるタッチパネル画面付通信機器において、仮名モードの一文字入力時に、画面上の行表示キーをＬＴ秒以上長押しすると、マトリックスに方式に準じる文字入力方式に切り替わり、長押しした当該行表示キー（ワ行を除く）が担当する文字の内の４番順の文字が、当該行表示キー箇所Ｐに表示され、３番順の文字はＰ箇所の左側に、５番順の文字はＰ箇所の右側に表示され、他の番順の文字もＰ箇所の周りに表示され、次に上記の内の指定する文字表示キー箇所を押下すると指定する文字の入力が確定することを特徴とする文字入力装置。
【請求項６】
マトリックス方式に準じる文字入力方式に切り替えて仮名モードで入力する場合に、ア行表示キーとヤ行表示キー（小文字の画面表示が無い場合）の通常文字を小文字に変換するには、ア行表示キーとヤ行表示キーの指定する文字表示キー箇所をｔ秒以上の長押しをすることで、指定する文字が小文字に変換して入力が確定することを特徴とする請求項５記載の文字入力装置。
【請求項７】
マトリックス方式に準じる文字入力方式に切り替えて仮名モードで入力する場合に、カ行表示キーとタ行表示キーの表示された各５文字の表示キー箇所をｔ秒以上の長押しすると、長押しした当該文字に濁点が付いた文字表示での入力が確定することを特徴とする請求項５記載の文字入力装置。
【請求項８】
文字入力キーをＴ秒以上で中押し又はＴ秒以上ＬＴ秒未満の中押しすることによる、３文字進んだ文字が入力できる３進型トグル方式か４文字進んだ文字が入力できる４進型トグル方式による文字入力に関して、各文字モード別や各担当キー別に３進型か４進型の何方かをユーザーが選択し設定できることを特徴とする請求項１，２，３，４，５，６，７の内の１に記載の文字入力装置。
【請求項９】
文字入力キーを長押ししてマトリックス方式に切替を行った文字入力キーを、続けて再度揮下すると当該キーが担当する最後の番順の文字の入力が確定することを特徴とする請求項１記載の文字入力装置。
【請求項１０】
文字入力キーをＴ秒以上，ｔ秒以上，ＬＴ秒以上押し続けていると、上記時間が経過したことをユーザーに知らせる音がスピーカーから発せられることを特徴とする請求項１，２，３，４，５，６，７，８の内の１に記載の文字入力装置。
【発明の詳細な説明】
【技術分野】
【０００１】本発明は、メール機能付固定電話や携帯電話やＰＤＡ等タッチパネル表示画面付通信機器の入力部に設置したテンキー等１５個以内の文字入力キーを使って行う文字入力装置に関する。
【背景技術】
【０００２】携帯電話やＰＤＡ等は、通信ネットワークに接続して電子メール等を送受信できる機能を備えている。ＰＤＡ等のタッチパネル表示画面付小型通信機器の場合は、主にタッチペン使って入力を行う。携帯電話の場合は、主にテンキー等の少数キーによる文字入力手段を有し、各キーに複数の文字を分担させて、毎押下ごとに担当の文字が入れ替わるトグル方式が一般的である。【０００３】
【特許文献１】  特開２００５−２５１１５２
【特許文献２】  特開２０００−１１２６３６
【発明の開示】
【発明が解決しようとする課題】
【０００４】トグル方式の最大の欠点は、後順の文字を入力する場合に、何回も文字入力キーを押下しなければならない点である。そこで、トグル方式とマトリックス方式の併用方式もあるが、マトリックス方式で文字入力する場合に、初め押した文字入力キーと２回目に押す組み合わせキーが離れている場合もある。できれば、後順の文字を入力する際にも組み合わせれキーが１回目に押したキーの近くで、指操作運動が楽な位置にあるといい。
また、最近のタッチパネル式の表示キーによる文字入力機能で、指定する文字の担当キーをタッチすると、押下箇所に１番目に登録順の文字が表示され、その周りに押下したキーが担当する他の文字が表示されて、指定する当該文字表示側にスライドすることで指定文字が入力できるが、この文字入力操作は画面が汚れたりキズが付きやすい。１，２番順の文字はトグル方式で入力した方が楽であり、マトリックス方式に準じる文字入力方式に切り替えを行ったキー表示箇所Ｐには、仮名の場合なら４番順の文字がベストである。
【課題を解決するための手段】
【０００５】本発明のコンセプトとして、少数キーによる文字入力の形態が指定するキーの担当文字の内の１番目や２番目に登録順の文字の入力は、従来のトグル方式で入力し、文字入力キーを例えば１回０．４秒前後中押しすると、当該キーが担当する仮名文字の４番目の文字順の文字まで、ジャンプして入力できたり、アルファベット文字も当該キーを１回０．４秒前後の中押しをすると、当該キーが担当する小文字の３番目又は４番目の文字順まで、１回の中押しで、２回の中押しで６番順又は８番順の大文字まで入力できたり、上記文字順に当てはまらない文字を入力するには、キーを毎短押しすれば通常のトグル方式で一文字づつ文字入力ができる。        また、マトリックス方式による仮名文字入力において、１回目に押す担当キーが担当する文字の内の５番順（ヤ行やワ行を除く）の文字の組み合わせキーを、１回目のキーと同一にし、４番順や３番順の組み合わせキーも、担当キーの隣や近くに配置することで、指の移動を極力少なくする。マトリックス方式に準じる文字入力方式によるアルファベット文字の入力では、大文字をメインに入力を考え、小文字はトグルに任せ、仮名モードにおいては各行キーの３，４，５番順の文字を重視する横並び配置にすることで、入力操作の運動を縦操作運動より楽な横移動操作で行えて、マトリックス方式に準じる文字入力方式による入力操作を楽にするキー配置にする。
【発明の効果】
【０００６】本発明のトグル方式の文字入力形態である、文字入力キーを１回Ｔ秒以上中押しにつき３文字目や４文字目まで文字が移り、入力できる文字がジャンプできることで、従来のトグル方式の欠点を補うことができる。マトリックス方式においても、指定する文字の担当キーを長押しするとマトリックス方式に切り替わり、後順の文字を入力する為の組み合わせキーを、担当キー（初回に長押ししたキー）と同一キーにし、他の後順の文字の組み合わせキーも、担当キーの近くに配置することにより指の移動幅が少なくてすむので、マトリックス方式による文字入力操作も楽になる。
タッチパネル文字表示キーによる文字入力においても、アルファベット小文字はトグル方式に任せて、大文字の入力をマトリックス方式に準じる文字入力方式に任せ、同方式に切替を行った当該キー箇所Ｐの表示が大文字の２番順や３番順の文字表示に換わり、他の大文字はＰ箇所の両側面や上に、小文字も表示する場合もＰ箇所の周りに配置する。
仮名モードにおいても１番順や２番順の文字はトグル方式で入力するようにして、３，４＝Ｐ，５番順の文字を、タッチしやすい横ラインに配置し、１番順と２番順の仮名文字はＰ箇所の上下に配置し、トグル方式とマトリックス方式に役割分担させることで、全文字の入力をフルキーなみのスピードで操作入力できる。
【発明を実施するための最良の形態】
【０００７】本発明の実施を明記するにあたり、通信機器の内の携帯電話を主に用いて説明を行う。まず、本発明を加えた携帯電話の基本形態を説明する。
基本的にメモリ部は、ＲＯＭやＲＡＭ等の半導体メモリを記憶媒体としたもので、この記憶媒体には制御部の制御プログラムや制御データ、自機の設定データを記憶するエリアが設けられている。メモリ部には送信メッセージ記憶エリアや、本発明のトグル入力データ記憶エリアとマトリックス入力データ記憶エリア又はマトリックスに準じる入力データ記憶エリア等が設けられていて、ユーザーがキー入力部の少数キーを操作して指定する文字等を、それぞれ対応する所定のテキストコードで記憶するエリアがある。【０００８】制御部は基本的にマイクロコンピューター等を主制御として備え、各部を制御するもので、その制御機能としては自機と局とを接続して音声や個人情報等を表示する機能や、送信メッセージエリアに予め記憶させておいた文字や画像等をペイジャーや他の端末やパソコン通信ごと業者に送信する機能を備えている。更に、制御部は本発明のトグル入力制御手段やマトリックス入力制御手段やマトリックスに準じる入力制御手段やタイマ等を備えている。そして、図１は本発明を加えた基本機能形態の構造を示す回路ブロック図の一例。【０００９】請求項１の案から内容の説明を行う。この案は、従来のトグル方式の他に３進型トグル方式（Ｔ秒以上中押し１回で起点から３文字進）又は４進型トグル方式（Ｔ秒以上中押し１回で起点から４文字進）の両方を使って、従来のトグル方式の欠点を補う案である。
そして、図２がアルファベット文字の内の英字における３進型トグル方式テーブル（起点が０の場合のテーブル）の一例である。【００１０】英字入力において、本発明を使ったかたちでの説明を行う。２番キーの担当キーがａｂｃＡＢＣだとすると、従来のトグル方式だけでｃやＣを入力するには、２番キーを３回の押下で小文字のｃが、６回の押下で大文字のＣが入力できる。
これを本発明の３進型トグル方式を使えば、２番キーを１回Ｔ秒以上の中押しをすると、ａｂを越えて一押しで小文字のｃの入力が可能となる。同様に一文字の初めに、２番キーを２回連続してＴ秒以上の中押しを行うと、ａ，ｂやＡ，Ｂを飛び越えて大文字のＣの入力が可能となる。以上が図３の中の例１と例２である。【００１１】また、ＡやＢを入力する方法として２番キーを１回Ｔ秒未満で短押しした後に、再度２番キーを１回Ｔ秒以上の中押しをするとＡの入力が可能となり、続けて再度２番キーを１回Ｔ秒未満で短押しをするとＢの入力が可能となる。
また、文字入力の初回に２番キーを１回Ｔ秒以上の中押しをすると小文字のｃが、続けて再度２番キーを１回Ｔ秒未満で短押しするとＡが、再度２番キーを１回Ｔ秒未満で短押しをするとＢの入力が可能となる。以上が図３の中の例３と例４である。そして、図４が図３の内の例２のフローチャートで、図５が図３の内の例３のフローチャートである。
上記のように、従来のトグル方式と３進型トグル方式を組み合わせて使うことで、各文字入力キー担当の後順の英字の入力が手間どらなくなり、文字の入力操作が楽になる。【００１２】仮名モードにおいても、上記と同様な案を採用することで文字入力が楽になる。
例えば、１番キーの担当文字がアイウエオァィゥェォであると、４進型トグル方式と従来のトグル方式を使うと、アイウは１番キーをＴ秒未満で１回でア２回でイ３回でウが、エやオを入力するには、１番キーを１回Ｔ秒以上の中押しをするとエの入力が可能となり、続けて再度１番キーをＴ秒未満で短押しするとオの入力が可能となる。小文字の「ゥ」を入力する際も、１番キーを２回Ｔ秒以上の中押しを行うだけで「ゥ」の入力が可能となる。以上が図６の例１と例２である。図７が図６の内の例１のフローチャートである。
上記の様な機能を可能にするには新たに、「Ｔ秒経過設定プログラム」「３進型トグル入力制御手段」「４進型トグル入力制御手段」「３進型トグル入力制御プログラム」「４進型トグル入力制御プログラム」が必要となる。【００１３】次に、請求項２から請求項６で共通のタッチパネル画面に関することから説明を行う。
タッチパネルは、押圧力変化，静電容量変化，電磁誘導等の方式を利用したもので、指示手段等によって画面上の指定箇所にタッチしたりスライドした位置・位置範囲（アドレス）をＸ座標検知器とＹ座標検知器とコントローラー等により検知し割り出す。そして、図８がタッチパネルの機能形態を表す説明図である。【００１４】また、各モード設定やトグル方式時や３＆４進型トグル方式やマトリックス方式に準じる文字入力方式時等、各状況下とタッチした箇所の位置情報とによって制御部がキー選択した後に、指定した文字入力キーを押し続けている時間（Ｔ秒未満，Ｔ秒，ｔ秒，ＬＴ秒）設定プログラムにより、トグル方式による文字表示やマトリックス方式に準じる文字入力方式による複数の文字表示を行う。【００１５】以上の内容をふまえて請求項２の説明を行う。
文字入力キーがボタンキーではなく、画面上に表示された文字入力キーをタッチすることで文字の入力ができる。タッチパネル画面付通信機器の少数キーによるアルファベット文字モードの文字入力の機能形態の一例として、「ＡＢＣキー」と「ＤＥＦキー」と「ＧＨＩキー」と「ＪＫＬキー」と「ＭＮＯキー」と「ＰＱＲＳキー」と「ＴＵＶキー」と「ＷＸＹＺキー」の８つのキーによって文字分担をしている場合に、「ＪＫＬキー」を１回Ｔ秒以上ＬＴ秒未満で中押しを行うと、押下した箇所の位置範囲とアルファベット文字モードにおける「キー設定プログラム」により、制御部は「ＪＫＬキー」を選択した後に、上記当該キーを押し続けてＴ秒以上ＬＴ秒未満でキーを放した（中押し）ことを、制御部の「タイマ」とメモリ部の「Ｔ秒設定」「Ｔ秒経過プログラム」又はメモリ部の「Ｔ秒経過判定カウンタ」と「Ｔ秒経過判定フラグ」と「Ｔ秒経過プログラム」により下記の文字入力方式による文字入力を実行する。又、計測方法は他の方法でもかまわない。【００１６】「３進型トグル入力制御手段」と「３進型トグル入力制御プログラム」に切り替わり、「ＪＫＬキー表示箇所Ｐ」に小文字の「１」の表示を実行し、文字入力箇所にも「１」を表示する受付制御を行うことで「１」の入力が可能になる。また、続けて「１表示キー箇所Ｐ」を再度Ｔ秒以上の中押しを行うと、Ｐ箇所は「Ｌ表示キー」の表示になり、文字入力箇所も小文字の１の表示から大文字の「Ｌ」の表示の換わりＬの入力が可能となる。
また、図９は「ＷＸＹＺ表示キー」をＴ秒以上ＬＴ秒未満の中押しを行うと、右側は中押し後の画面表示でＰ箇所は「ｚ表示キー」に換わり、文字入力箇所にも小文字の「ｚ」が表示され「ｚ」の入力が可能となる。この場合は、４進型トグル方式での文字入力であり、続けて再度当該キーを中押しをする場合は大文字の「Ｚ」の入力が可能となる。【００１７】次に、請求項３の説明に移る。この案は、アルファベット文字モードにおいて、タッチパネル画面上の文字キーをＬＴ以上の長押しを行うと、マトリックス方式に準じる文字入力方式に切り替わる案で、例えば「ＡＢＣ表示キー」をＬＴ秒以上の長押しを行うと、「ＡＢＣ表示キー」だったＰ箇所が大文字の「Ｂ表示キー」の表示に換わり、Ｐ箇所の左側が「Ａ表示キー」に、Ｐ箇所の右側が「Ｃ表示キー」の配置表示で、その下側に左側からａ，中央がｂ，左側がｃの小文字の配置表示になり、指定する文字表示キー箇所をタッチすることで指定する文字が文字入力箇所に確定表示が行われ、当該箇所Ｐの画面表示は再び「ＡＢＣ表示キー」の表示に戻る。図１０は上記内容のフローチャートである。【００１８】上記機能形態を有するには、「ＬＴ秒設定」，「ＬＴ秒経過プログラム」により制御部の「タイマ」が毎押下ごとにキーを押し続けている時間を計測し、ＬＴ秒が経過すると「ＬＴ秒経過プログラム」により、長押しをした当該キーの担当するアルファベット文字を「マトリックス方式に準じる文字入力方式」による文字入力方式に切り替えて、長押しした「文字表示キー」の表示箇所Ｐを、Ｘ座標検知器とＹ座標検知器とコントローラーによって位置範囲を割り出し「各文字表示キー」ごとに割り振られた位置（アドレス）に当確する当該キーを選択し、続けてＬＴ秒以上の長押しをした場合は個別の文字表示である「一文字表示キー」を（００１７ならば大文字の「Ｂ表示キー」）Ｐ箇所に表示し、当該キーが担当する他の文字をＰ箇所の周りに表示する。上記の機能形態を有するには、「マトリックス方式に準じる文字入力制御手段」と「マトリックス方式に準じる文字入力制御プログラム」と「マトリックス方式に準じる文字入力方式用文字表示制御手段」と「マトリックス方式に準じる文字入力方式用文字表示制御プログラム」等により、当該入力方式での文字の入力が可能となる。図１１が、上記案のアルファベット文字テーブルである。
そして、図１２はアルファベット文字モード時の文字表示少数キーの表示画面が左側で、右側がＷＸＹＺ表示キーをＬＴ秒以上の長押し（ＬＴ秒以上押し続けた後にキーを放す）した場合の当該キー担当の文字の入力が、マトリックス方式に準じる文字入力方式に切り替わった後の文字表示画面である。また、この表示では小文字も表示しているが、大文字のみの場合は、指定する文字表示キー箇所をｔ秒以上の長押しをすると、指定文字が小文字に変換して入力が確定する。上記機能を有するには、「ｔ秒長押し小文字変換制御手段」と「ｔ秒長押し小文字変換制御プログラム」が必要となる。【００１９】次に請求項４の説明を行う。タッチパネル画面に表示された仮名モード用の「各行表示キー」をＴ秒以上又はＴ秒以上ＬＴ秒未満で中押しして、「４進型トグル方式」又は「３進型トグル方式」の文字入力方式と従来のトグル方式を併用することで、指定する仮名文字が素早く入力することができる。
例えば「ア行表示キー」をＴ秒以上の中押しをすると「ア行表示キー箇所Ｐ」が「エ」の表示キーに換わり、文字入力箇所に「エ」が表示され、続けてもう一回「エ表示キー箇所Ｐ」をＴ秒以上の中押し又はＴ秒以上ＬＴ秒未満の中押しをすると、Ｐ箇所は小文字の「ゥ表示キー」に換わり、文字入力箇所も「エ」の表示から「ゥ」の表示に換わりゥの入力が可能となる。以上が４進型トグル方式であるが、３進型トグル方式の場合は初回の中押しで「ウ」が、２回目の中押しで「ァ」の入力が可能となる。
また、画面表示された「ヤ行表示キー」を１回Ｔ秒以上の中押しをすると、４進型トグル方式では小文字の「ャ」が一押しで入力できる。そして、図１３が上記例を図で表した。図１４は図１３の例１のフローチャートである。【００２０】次に請求項５の内容の説明にうつる。この内容も請求項３のアルファベット文字モードを仮名モードにしたかたちの案である。
例えば、画面表示された「タ行表示キー」をＬＴ秒以上の長押し（ＬＴ秒以上キーを押し続けて放す。）すると、「タ行表示キー箇所Ｐ」のキー表示が「テ表示キー」に換わり、Ｐ箇所（テ表示キー箇所）の左側が「ツ表示キー」で、Ｐ箇所の右側が「ト表示キー」が表示され、Ｐ箇所の上側が「タ表示キー」に、Ｐ箇所の下側が「チ表示キー」の表示が実行される。また、Ｐ箇所の左下に小文字の「ッ表示キー」を追加表示するかたちでもいい。そして、表示された複数の文字表示キーの内の指定するキーにタッチすることで、指定した文字の入力が確定する。また、例２として「ヤ行表示キー」をＬＴ秒以上の長押しをした時に表示される、キーの配置も同時に図１５で表記した。図１６は例１のフローチャートである。この案の仮名文字の入力を行うには、図１７で示したマトリックス方式に準じる文字入力方式用の仮名文字テーブルを使用する。また、上記の機能形態に必要な手段の説明は００１８で明記したので説明を省く。【００２１】次に請求項６の内容を説明する。ア行表示キーやヤ行表示キーをＬＴ秒以上の長押しをして、マトリックス方式に準じる文字入力方式に切り替えて仮名モードで文字入力をする場合に、ア行表示キーのみ又はヤ行表示キー（小文字の画面表示が無い場合）の通常文字を小文字に変換するには、ア行表示キーやヤ行表示キーの内の指定する文字表示キー箇所をｔ秒以上の長押しをすることで、指定する文字が小文字に変換して入力が確定できる。
上記機能形態を有するには、「ｔ秒長押し小文字変換制御手段」と「ｔ秒長押し小文字変換制御プログラム」が必要となる。そして、図１８はア行表示キーとヤ行表示キーをｔ秒以上長押し時のマトリックス方式に準じる文字入力方式用文字テーブルである。【００２２】次に請求項７の内容を説明する。カ行表示キーやタ行表示キーをＬＴ秒以上の長押しをして、マトリックス方式に準じる文字入力方式に切り替えて仮名モードで文字入力をする場合に、カ行表示キーの５文字やタ行表示キーの５文字の内の指定する文字表示箇所を、ｔ秒以上の長押しをすると、長押しした当該文字に濁点が付いた文字で表示された文字の入力が確定する。上記機能形態を有するには、「ｔ秒長押し濁点文字入力制御手段」と「ｔ秒長押し濁点文字入力制御プログラム」が必要となる。そして、図１８はカ行とタ行と上記したア行とヤ行のｔ秒以上長押し時の、マトリックス方式に準じる文字入力方式の文字テーブルである。【００２３】次に、請求項８の内容を説明する。文字入力キーをＴ秒で中押し又は、Ｔ秒以上ＬＴ秒未満の中押しをすることによって、３文字進んだ文字が入力できる３進型トグル方式か４文字進んだ文字が入力できる４進型トグル方式による文字入力に関して、各文字モード別や各担当キー別に３進型か４進型トグル方式の、何方かをユーザーが選択し、設定できる。具体的に説明すると、日本の携帯電話のアルファベット文字の内の英字モードの場合は、３文字と４文字の担当キーが有る。また、フランス語の文字数は４０字もあり、少数キーによる文字入力キーの数は色々と考えられる。また、仮名文字にしてもヤ行やワ行の文字の数は少ないので、各文字モードや各担当キーによってユーザーが設定できる方が喜ばれる。図１９は、英字モード時の各キー別に３進型か４進型トグル方式を設定する画面の一例である。【００２４】次に、請求項９の内容の説明を行う。文字入力キーを長押ししてマトリックス方式に切替を行った文字入力キーを続けて再度押下すると、長押しした当該キーが担当する最後の番順の文字が確定する組み合わせキーにする。そして、図２０は英字モード用のマトリックス方式の組み合わせキーを表示した文字テーブルである。図２１は、仮名モード用のマトリックス方式の文字テーブルである。図のような組み合わせキーの配置にすることで、１，２や１，２，３番順の文字はトグル方式で、それよりも後順の文字をマトリックス方式で入力するようにして、後順の文字の組み合わせキーを担当キー側に設置することにより、指をそれほど移動しないで文字入力ができる。【００２５】次に、請求項１０の内容を説明する。文字入力キーをＴ秒以上，ｔ秒以上，ＬＴ秒以上押し続けていると、上記時間を経過したことをユーザーに知らせる音がスピーカーから発せられることで、キーを放すタイミングをはかることができる。図２２は、上記内容を説明した図である。【００２６】以上のことにより、少数キーによる文字入力において、各文字入力キーが担当する１番順，２番順の文字は従来のトグル方式に任せて、３番順又は４番順以降の担当文字は従来のトグル方式と３，４進型トグル方式の両方を使って入力を行ったり、キーを押しすぎて先の番順の文字まで行ってしまった場合や続けて同一キーによる複数の文字を入力する場合は、マトリックス方式やマトリックス方式に準じる文字入力方式に切り替えて文字の入力を確定することもでき、ユーザーがそれぞれの文字によって一番いい方法を選んで文字入力することができる。
【産業上の利用可能性】
【００２７】今までの説明は携帯電話での説明であったが、ＰＤＡや固定電話や双方向通信ＴＶのリモコンに設置する文字入力キーやカーナビゲーション機器等の文字入力に応用できる。
【図面の簡単な説明】
【００２８】
【図１】本発明を加えた携帯電話の機能形態を示す回路ブロック図の一例
【図２】英字用３進型トグル方式のテーブル
【図３】３進型トグル方式とトグル方式を使った英字入力の説明図
【図４】図３の例２のフローチャート
【図５】図３の例３のフローチャート
【図６】４進型トグル方式とトグル方式を使った仮名文字入力の説明図
【図７】図６の例１のフローチャート
【図８】タッチパネルの機能形態を表す説明図
【図９】ＷＸＹＺ表示キーを中押しした後の画面表示図
【図１０】マトリックス方式に準じる入力方式に切り替わりのフローチャート
【図１１】マトリックス方式に準じる入力方式用英字テーブル
【図１２】英字モード初期表示からマトリックス方式に準じる方式に替わった表示図
【図１３】４進型トグル方式とトグル方式を使った仮名入力の説明図
【図１４】図１３の例１のフローチャート
【図１５】仮名モードの画面表示キーを長押しした場合の文字表示キー配置
【図１６】図１５の例１のフローチャート
【図１７】マトリックス方式に準じる入力方式用仮名文字テーブル
【図１８】上記方式のア行とヤ行とカ行とタ行のｔ秒以上長押しした後のテーブル
【図１９】３進型トグル方式と４進型トグル方式の選択設定表示図
【図２０】マトリックス方式用英字テーブル
【図２１】マトリックス方式用仮名文字テーブル
【図２２】Ｔ秒とｔ秒とＬＴ秒経過を知らせる音が鳴ることの説明図
【図１】
2010129076.tif 000003
【図２】
2010129076.tif 000004
【図３】
2010129076.tif 000005
【図４】
2010129076.tif 000006
【図５】
2010129076.tif 000007
【図６】
2010129076.tif 000008
【図７】
2010129076.tif 000009
【図８】
2010129076.tif 000010
【図９】
2010129076.tif 000011
【図１０】
2010129076.tif 000012
【図１１】
2010129076.tif 000013
【図１２】
2010129076.tif 000014
【図１３】
2010129076.tif 000015
【図１４】
2010129076.tif 000016
【図１５】
2010129076.tif 000017
【図１６】
2010129076.tif 000018
【図１７】
2010129076.tif 000019
【図１８】
2010129076.tif 000020
【図１９】
2010129076.tif 000021
【図２０】
2010129076.tif 000022
【図２１】
2010129076.tif 000023
【図２２】
2010129076.tif 000024